(57)【要約】【課題】開作動機構を調整・変更することなくラッチ式ロック機構の操作力を設定し得るようにする。【解決手段】車体に取付けられる収納装置本体１と、収納装置本体１の開口部２に開閉自在に取付けられた蓋体３と、収納装置本体１および蓋体３の間に設けられて蓋体３を開方向へ付勢する開作動機構と、収納装置本体１および蓋体３の間に設けられて押圧により交互にロックおよびロック解除を繰返すよう構成されたラッチ式ロック機構６と、開口部２の周縁部に取付けられて蓋体３との間で開口部２をシール可能なシールラバー７とを備えた車両用収納装置であって、シールラバー７に、ラッチ式ロック機構６の操作力を設定可能な操作力設定手段２１を介装するようにしている。【選択図】図１
2007320397.tif 000002
【特許請求の範囲】
【請求項１】
車体に取付けられる収納装置本体と、該収納装置本体の開口部に開閉自在に取付けられた蓋体と、収納装置本体および蓋体の間に設けられて蓋体を開方向へ付勢する開作動機構と、収納装置本体および蓋体の間に設けられて押圧により交互にロックおよびロック解除を繰返すよう構成されたラッチ式ロック機構と、前記開口部の周縁部に取付けられて蓋体との間で開口部をシール可能なシールラバーとを備えた車両用収納装置において、
前記シールラバーに、ラッチ式ロック機構の操作力を設定可能な操作力設定手段を介装したことを特徴とする車両用収納装置。
【請求項２】
前記シールラバーが、コ字断面を有し、
前記操作力設定手段が、シールラバーのコ字断面の内部に設けられたことを特徴とする請求項１記載の車両用収納装置。
【請求項３】
前記シールラバーがコーナー部を有し、前記操作力設定手段が、シールラバーのコーナー部に設けられたことを特徴とする請求項１または２に記載の車両用収納装置。
【請求項４】
前記操作力設定手段が、シールラバーと一体に形成されたラバーブロックであることを特徴とする請求項１ないし３のいずれか１項に記載の車両用収納装置。
【発明の詳細な説明】
【技術分野】
【０００１】
この発明は、車両用収納装置に関するものである。
【背景技術】
【０００２】
自動車などの車両には、車室内の前部にインストルメントパネルが設けられている。また、運転席と助手席との間などには、コンソールが設けられている。このようなインストルメントパネルやコンソールなどには、各種の収納装置が設けられている。この収納装置には、例えば、灰皿装置やカップホルダ装置などがある。
【０００３】
そして、上記収納装置には、開閉可能な蓋体を備えたものも存在する（例えば、特許文献１参照）。
【０００４】
このような蓋体を備えた収納装置は、例えば、図２に示すように、車体に取付けられる収納装置本体１と、収納装置本体１の開口部２に開閉自在に取付けられた蓋体３と、収納装置本体１および蓋体３の間に設けられて蓋体３を開方向へ付勢する図示しない開作動機構と、収納装置本体１および蓋体３の間に設けられたロック機構５とを備えている。
【０００５】
そして、ロック機構５として、押圧により交互にロックおよびロック解除を繰返すよう構成されたラッチ式ロック機構６を用いている場合、開口部２の周縁部に対し、蓋体３との間で開口部２をシールすると共にラッチ式ロック機構６の操作ストロークを確保可能なシールラバー７が取付けられることがある。このようなシールラバー７が用いられるのは、灰皿装置などの場合が多い。
【０００６】
このシールラバー７は、図２の場合、シール性を確保するために、収納装置本体１の開口部２の上縁部と両側縁部とに亘って延設されており、図３に示すように、全体として３つの直線部と２つのコーナー部８とを有する正面視ほぼコ字形状を呈している。また、このシールラバー７は、ラッチ式ロック機構６の操作ストロークを確保するのに、大きな変形能が得られるようコ字断面を有している。
【特許文献１】特開２００１−１８３９号公報
【発明の開示】
【発明が解決しようとする課題】
【０００７】
しかしながら、上記車両用収納装置では、ラッチ式ロック機構６の操作力を設定するには、開作動機構を調整・変更しなければならなかったため、開作動機構の開き特性が変ってしまったり、部品の変更を余儀なくされたりするという問題があった。
【課題を解決するための手段】
【０００８】
上記課題を解決するために、請求項１に記載された発明では、車体に取付けられる収納装置本体と、該収納装置本体の開口部に開閉自在に取付けられた蓋体と、収納装置本体および蓋体の間に設けられて蓋体を開方向へ付勢する開作動機構と、収納装置本体および蓋体の間に設けられて押圧により交互にロックおよびロック解除を繰返すよう構成されたラッチ式ロック機構と、前記開口部の周縁部に取付けられて蓋体との間で開口部をシール可能なシールラバーとを備えた車両用収納装置において、前記シールラバーに、ラッチ式ロック機構の操作力を設定可能な操作力設定手段を介装したことを特徴としている。
【０００９】
請求項２に記載された発明では、前記シールラバーが、コ字断面を有し、前記操作力設定手段が、シールラバーのコ字断面の内部に設けられたことを特徴としている。
【００１０】
請求項３に記載された発明では、前記シールラバーがコーナー部を有し、前記操作力設定手段が、シールラバーのコーナー部に設けられたことを特徴としている。
【００１１】
請求項４に記載された発明では、前記操作力設定手段が、シールラバーと一体に形成されたラバーブロックであることを特徴としている。
【発明の効果】
【００１２】
請求項１の発明によれば、シールラバーに、ラッチ式ロック機構の操作力を設定可能な操作力設定手段を介装したことにより、シールラバーの操作力設定手段を調整することのみによって、ラッチ式ロック機構の操作力を簡単に設定することが可能となる。これにより、ラッチ式ロック機構の操作力の設定のために、開作動機構を調整・変更する必要がなくなるので、開作動機構の開き特性が変ってしまったり、部品の変更を余儀なくされたりするようなことをなくすことができる。
【００１３】
請求項２の発明によれば、操作力設定手段を、コ字断面を有するシールラバーの内部に設けることにより、外部から見立たないように操作力設定手段を設けることができる。これによって見栄えの悪化を防止することが可能となる。
【００１４】
請求項３の発明によれば、操作力設定手段を、シールラバーのコーナー部に設けることにより、シールラバーの中間部が操作力設定手段の重みで垂れ下がることを防止することができる。
【００１５】
請求項４の発明によれば、操作力設定手段として、ラバーブロックをシールラバーと一体に形成することにより、コスト上昇を伴わずに、確実に機能する操作力設定手段を得ることができる。また、ラバーブロックは、その体積の増減によって操作力の増減を把握することができるので、微調整が容易である。
【発明を実施するための最良の形態】
【００１６】
開作動機構を調整・変更することなくラッチ式ロック機構の操作力を設定し得るようにするという目的を、シールラバーに、ラッチ式ロック機構の操作力を設定可能な操作力設定手段を介装する、という手段で実現した。
【実施例】
【００１７】
以下、本発明を具体化した実施例について、図示例と共に説明する。
【００１８】
図１は、この発明の実施例を示すものである。なお、収納装置の構成については、図２を用いて説明したものと基本的にほぼ同様なので、必要に応じてこの図面を参照する。
【００１９】
まず、構成について説明すると、自動車などの車両には、車室内の前部にインストルメントパネルが設けられている。また、運転席と助手席との間などには、コンソールが設けられている。このようなインストルメントパネルやコンソールなどには、各種の収納装置が設けられている。この収納装置には、例えば、灰皿装置やカップホルダ装置などがある。
【００２０】
そして、上記収納装置には、開閉可能な蓋体を備えたものも存在する。
【００２１】
このような蓋体を備えた収納装置は、例えば、図２に示すように、車体に取付けられる収納装置本体１と、収納装置本体１の開口部２に開閉自在に取付けられた蓋体３と、収納装置本体１および蓋体３の間に設けられて蓋体３を開方向へ付勢する図示しない開作動機構と、収納装置本体１および蓋体３の間に設けられたロック機構５とを備えている。
【００２２】
図２では、収納装置は、灰皿装置となっている。この灰皿装置は、蓋体３を開くと、開口部２の内側に、灰皿容器１１とシガーライター１２とが出現するように構成されている。灰皿容器１１は、蓋体３側に着脱自在に設置され、シガーライター１２は、収納装置本体１側に着脱自在に設置されている。収納装置本体１には、車体に対する取付フランジ１３が適宜設けられている。蓋体３は、図示しないヒンジを介して収納装置本体１に回動自在に取付けられている。このヒンジは、収納装置本体１の開口部２の下縁部の側に設定されており、このヒンジを中心として蓋体３は手前側で且つ下側へ開くように構成されている。開作動機構は、特に図示しないが、蓋体３を開方向へ付勢するためのバネなどの開付勢手段と、開付勢手段による付勢力を減衰して蓋体３の開速度を調整するダンパ装置とを備えている。
【００２３】
そして、ロック機構５として、押圧により交互にロックおよびロック解除を繰返すよう構成されたラッチ式ロック機構６が用いられている。このラッチ式ロック機構６は、爪部と、この爪部を交互に把持・解放するラッチ装置とを備えている。この場合、爪部は蓋体３の側に設定され、ラッチ装置は収納装置本体１の側に設定されている。
【００２４】
そして、ラッチ式ロック機構６を用いている場合、開口部２の周縁部には、蓋体３との間で開口部２をシールすると共にラッチ式ロック機構６の操作ストロークを確保可能なシールラバー７が取付けられることがある。
【００２５】
このシールラバー７は、図２の場合、シール性を確保するために、収納装置本体１の開口部２の上縁部と両側縁部とに亘って延設されており、図１に示すように、全体として３つの直線部と２つのコーナー部８とを有する正面視ほぼコ字形状を呈している。また、このシールラバー７は、ラッチ式ロック機構６の操作ストロークを確保するのに、大きな変形能が得られるようコ字断面とされている。この場合、シールラバー７は、内向きのコ字断面とされている。また、シールラバー７の両側部からは、外方へ向けて取付用の差込部１８が突設されている。この差込部１８には、収納装置本体１の対応する位置に形成された受孔から抜けないようにするための返し形状部が設けられている。
【００２６】
そして、以上のような基本構成に対し、この実施例のものでは、シールラバー７に、ラッチ式ロック機構６の操作力を設定可能な操作力設定手段２１を介装する。
【００２７】
この操作力設定手段２１は、シールラバー７のコ字断面の内部に設けられる。  また、この操作力設定手段２１は、シールラバー７のコーナー部８の一方または両方に設けられる。
【００２８】
この操作力設定手段２１を、シールラバー７と一体に形成されたラバーブロック２２などで構成する。
【００２９】
次に、この実施例の作用について説明する。
【００３０】
この実施例によれば、シールラバー７に、ラッチ式ロック機構６の操作力を設定可能な操作力設定手段２１を介装したことにより、シールラバー７の操作力設定手段２１を調整することのみによって、ラッチ式ロック機構６の操作力を簡単に設定することが可能となる。これにより、ラッチ式ロック機構６の操作力の設定のために、開作動機構を調整・変更する必要がなくなるので、開作動機構の開き特性が変ってしまったり、部品の変更を余儀なくされたりするようなことをなくすことができる。
【００３１】
また、操作力設定手段２１を、コ字断面を有するシールラバー７の内部に設けることにより、外部から見立たないように操作力設定手段２１を設けることができる。これによって見栄えの悪化を防止することが可能となる。
【００３２】
そして、操作力設定手段２１を、シールラバー７のコーナー部８に設けることにより、シールラバー７の中間部が操作力設定手段２１の重みで垂れ下がることを防止することができる。
【００３３】
更に、操作力設定手段２１として、ラバーブロック２２をシールラバー７と一体に形成することにより、コスト上昇を伴わずに、確実に機能する操作力設定手段２１を得ることができる。また、ラバーブロック２２は、その体積の増減によって操作力の増減を把握することができるので、微調整が容易である。この場合には、ラバーブロック２２の幅寸法ａを変更することにより操作力を調整するようにしている。
【００３４】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、複数の実施例や変形例が示されている場合には、これらの可能な組合せが含まれることは勿論である。
【図面の簡単な説明】
【００３５】
【図１】本発明の実施例にかかるシールラバーを逆さまにした状態の斜視図である。
【図２】本発明および従来例に共通する収納装置の全体斜視図である。
【図３】従来例にかかるシールラバーを逆さまにした状態の斜視図である。
【符号の説明】
【００３６】
１    収納装置本体
２    開口部
３    蓋体
６    ラッチ式ロック機構
７    シールラバー
８    コーナー部
２１  操作力設定手段
２２  ラバーブロック
【図１】
2007320397.tif 000003
【図２】
2007320397.tif 000004
【図３】
2007320397.tif 000005